(57)【要約】【課題】  使い勝手のよい小物入れを提供する。【解決手段】  平面形状を有する本体２と、本体２をベッド枠１１に着脱可能に固定する紐３を備えた小物入れ１であって、かかる小物入れ１が、ビニール袋１６を保持する洗濯バサミ４と、本体２の表面に対して平行な面に開口部７を有し、かつ本体２の表面に固着された袋部６を有する。【選択図】  図１
2005329021.tif 000002
【特許請求の範囲】
【請求項１】
所定の形状を有する本体と、
該本体を構造物に着脱可能に固定する固定手段を備えた小物入れであって、
被保持物を保持する保持手段と、
前記本体の表面に対して平行な面に開口部を有し、かつ前記本体の表面に固着された袋部を有する
ことを特徴とする小物入れ。
【請求項２】
小物入れ本体を横断する中空部と、
該中空部内に収容された棒状部材を有する
ことを特徴とする請求項１に記載の小物入れ。
【請求項３】
平面形状を有する布製本体と、
該本体をベッドの頭側の枠に固定する紐を備えた小物入れであって、
袋を保持する洗濯バサミと、
前記本体の表面に対して平行な面に、ティッシュペーパーを取り出すための開口部を有し、かつ前記本体の表面に固着された、ティッシュペーパー入りの箱が収納された袋部を有する
ことを特徴とするベッド用小物入れ。
【請求項４】
小物入れ本体を横断する中空部と、
該中空部内に収容された棒状部材を有する
ことを特徴とする請求項３に記載のベッド用小物入れ。
【発明の詳細な説明】
【技術分野】
【０００１】
本発明は小物入れに関する。詳しくは、本発明は、被保持物を保持する保持手段と、小物入れの本体表面に対して平行な面に開口部を有する袋部とを備えることによって、ビニール袋やメモ紙等を保持でき、そしてティッシュペーパー等を開口部から取り出せる、使い勝手のよい小物入れに係るものである。
【背景技術】
【０００２】
従来、ティッシュペーパー、メモ帳等の小物を収納する小物入れとしては、平坦な小物入れ本体表面にポケットを設けたもの（例えば、特許文献１参照。）が知られている。特許文献１に記載の小物入れは、平坦な基体と、基体の表面に設けられた少なくとも１つのポケットを備えたものであり、ベッドのサイドガードに固定される。
【０００３】
【特許文献１】特開平１１−７００３３号公報
【発明の開示】
【発明が解決しようとする課題】
【０００４】
しかしながら、従来の小物入れにおいては、単に小物を小物入れに入れておくことだけに主眼が置かれており、さらに便利のよい機能を有する使い勝手のよい小物入れが求められていた。
本発明は、以上の点に鑑みて創案されたものであり、使い勝手のよい小物入れを提供することを目的とするものである。
【課題を解決するための手段】
【０００５】
上記の目的を達成するために、本発明に係る小物入れは、所定の形状を有する本体と、本体を構造物に着脱可能に固定する固定手段を備えた小物入れであって、被保持物を保持する保持手段と、本体の表面に対して平行な面に開口部を有し、かつ本体の表面に固着した袋部を有する。
【０００６】
固定手段によって、構造物に、小物入れ本体を固定して取り付けることができ、また適宜、固定を解除して構造物から小物入れを取り外し、別の構造物に小物入れ本体を取り付けることができる。保持手段によって、被保持物を保持できる。また、袋部の開口部を通して、適宜、物を出し入れできる。
【０００７】
また本発明の小物入れは、所定の形状を有する本体と、本体を構造物に着脱可能に固定する固定手段を備えた小物入れであって、被保持物を保持する保持手段と、本体の表面に対して平行な面に開口部を有し、かつ本体の表面に固着した袋部と、小物入れ本体を横断する中空部と、中空部内に収容された棒状部材を有する。
【０００８】
中空部に収容された棒状部材によって、比較的重い物を保持手段が保持したり、任意に小物入れ本体に固着させた収納部等に比較的重い物を入れたりしても、小物入れが下へ引っ張られて小物入れの形状が崩れることなく安定性が向上する。
【０００９】
さらに本発明のベッド用小物入れは、平面形状を有する布製本体と、本体をベッドの頭側の枠に固定する紐を備えた小物入れであって、袋を保持する洗濯バサミと、本体の表面に対して平行な面に、ティッシュペーパーを取り出すための開口部を有し、かつ本体の表面に固着された、ティッシュペーパー入りの箱が収納された袋部を有する。
【００１０】
洗濯バサミで袋を保持しておくことで、保持された袋に、使い終わったティッシュペーパー等をゴミとして入れておくことができ、離れた場所にあるゴミ箱へ捨てる手間が省けて便利である。
【発明の効果】
【００１１】
請求項１に係る小物入れは、比較的簡単に、物を小物入れに出し入れできたり物を保持できたりして、使い勝手がよい。
請求項２に係る小物入れは、比較的重い物を小物入れに入れても、小物入れが型崩れせず、さらに使い勝手がよい。
請求項３および請求項４に係るベッド用小物入れは、ベッドで一日の大半を過ごす者が、無理に体を動かすことなく、物を小物入れに出し入れでき、使い勝手がよい。
【発明を実施するための最良の形態】
【００１２】
以下、本発明の実施の形態について図面を参照しながら説明し、本発明の理解に供する。
図１は、本発明の小物入れ１を、構造物の一つであるベッド（ベビーベッドを含む。以下同じ。）枠１１に取り付けた態様を示す概略図である。ここで、小物入れ本体２の形状は平坦な矩形であるが、その他に例えば平坦な正方形、平坦な円形、平坦な星形、平坦な十字形、球体、立方体、直方体、五角柱や六角柱のような多角柱、円柱、錐体のような形状でもよい。
【００１３】
図１において小物入れ本体２には中空部１２が設けられ、中空部１２内には棒状部材１３が収容されているが、このような中空部１２や棒状部材１３は省略してもよい。中空部１２の断面形状は、円形、三角形、四角形、五角形や六角形等の多角形等、どのような形でもよく、このような中空部１２の断面形状に合わせて棒状部材の形状も変えることができる。図１において中空部１２は、小物入れ本体２の端から端へ横断して一連に設けられているが、断続的に設けられてもよい。小物入れ本体２の一部を用いて中空部１２が形成されるが、別個に形成した中空体を接着剤や縫製加工等によって小物入れ本体２に取り付けて、これを中空部１２としてもよい。棒状部材１３の材質は、棒状部材１３が一定の硬さを有するのであればどのような材質でもよいが、例えば木材、プラスティック、金属等が挙げられる。
【００１４】
図１において、小物入れ本体２を構造物に着脱可能に固定する固定手段として紐３が記載されているが、本体２を構造物に着脱可能に固定できるものであればどのようなものでもよく、その他に例えば、面ファスナーテープ（マジックテープ（登録商標））もしくはスナップボタンを備えた舌片部材、フック、磁石等が固定手段として使用できる。これら具体的な固定手段は、それぞれ単独で本体２に取り付けられていてもよいし、２種以上が本体２に取り付けられていてもよい。
例えば、図１では現れていない小物入れ１の反対側の面に紐、帯またはプラスチック片の両端が固着されて弓形に形成された弓形掛止部を設け、さらにＳ字フックの一方の湾曲部に弓形掛止部を掛けることで、例えば紐を結び付けられない板状のベッドボードにも、Ｓ字フックの他方の湾曲部を掛けて本発明の小物入れ１を固定することができる。この場合、ベッドボードに掛ける湾曲部の掛け幅は２〜３ｃｍであることが好ましい。また、弓形掛止部を設ける代わりに、本体２に貫通穴を設け、これにＳ字フックの一端を通してもよい。Ｓ字フックはステンレス製でもプラスチック製でもよい。貫通穴の縁は金属輪やプラスチック輪で補強されてもよい。
固定手段は、接着剤や縫製加工等によって小物入れ１に取り付けられるが、小物入れ本体２の一部を固定手段として使用してもよい。小物入れ本体２の一部を固定手段として使用する場合、例えば、構造物の一つであるベッド枠１１に、舌片状の小物入れ本体の一部が巻きついて、舌片状の小物入れ本体の一部に備わった面ファスナーテープもしくはスナップボタンによって留められ、ベッド枠１１が棒状部材と同じ働きをする。図１において固定手段は、小物入れ側辺に備え付けられているが、小物入れ本体の中心部に備え付けられてもよく、小物入れ側辺と小物入れ本体の中心部の両方に備え付けられてもよい。
【００１５】
図１において、被保持物を保持する保持手段として洗濯バサミ４が記載されているが、被保持物を保持できるものであればどのようなものでもよく、その他に例えば、クリップやフックを保持手段として使用できる。保持手段は、図１に示すように紐５を介して縫製加工によって小物入れ本体２に取り付けてもよいし、紐５を介さずに接着剤等によって直接、小物入れ本体２に取り付けてもよい。紐５の代わりに針金を用いてもよいし、縫製加工の代わりに接着剤を用いてもよい。紐５は布製でもビニール製でもよい。このような保持手段によって、例えばビニール袋１６や紙袋等を挟んで保持し（図１参照）、これらを簡易ごみ箱として使用できるし、また、メモ紙等を挟んで保持しておいて備忘とすることもでき、便利である。図１において、保持手段４は１つしか示されていないが、これに限定されることなく複数の保持手段を小物入れ本体２に取り付けてもよい。この場合、一方の保持手段がメモ紙等を保持し、他方の保持手段が鉛筆等の筆記具を保持しておけば、さらに使い勝手が向上する。
【００１６】
図１において、小物入れ本体２の表面に対して平行な面に開口部７を有し、かつ小物入れ本体の表面に固着された袋部６には、箱型ティッシュペーパー１７が収納され、開口部７からはティッシュペーパーが露出している。袋部６の側端には、袋部６の側端開口部を覆うべく蓋体８が備え付けられ、蓋体８には雄型面ファスナーテープ９が、ティッシュペーパーが露出する開口部７の隣には雌型面ファスナーテープ１０が、それぞれ備え付けられているが、このような蓋体８は備え付けなくてもよい。袋部６の長手方向軸線（不図示）と中空部１２の長手方向軸線（不図示）は互いに平行になっているが、袋部６の長手方向軸線が中空部１２の長手方向軸線に対して垂直になるよう袋部６を備え付けてもよい。袋部６の内部の大きさは、箱型ティッシュペーパー１７の大きさとほぼ同じであり、また、箱に入っていない、いわゆるポケットティッシュの大きさとほぼ同じであってもよく、袋部６の内部をこのような大きさにしてポケットティッシュを収納してもよい。袋部６は、接着剤または縫製加工等によって小物入れ本体２に取り付けることができる。
【００１７】
図１において、小物入れ本体２には収納部１４が備え付けられているが、収納部１４は備え付けなくてもよい。収納された物が混ざらないよう、収納部１４の一部を小物入れ本体に固着して収納部を３つに区分けしているが、このような区分けは任意で行なうことができる。また、図１のように四辺が小物入れ本体に固着されて閉じており、開口部が本体表面に平行に設けられ、さらに開口部にファスナー１５が取り付けられた収納部を備え付けてもよい。収納部は、接着剤または縫製加工等によって小物入れ本体２に取り付けることができる。
【００１８】
小物入れ本体２、固定手段３、袋部６、中空部１２および収納部１４は、どのような素材で構成されていてもよく、それぞれが互いに異なる素材で構成されていてもよい。具体的には例えば、ビニール、合成繊維布、不織布（ポリプロピレン製、ポリエステル製、ナイロン製、アクリル繊維製）、メッシュ素材、布（ボア、フェルト、コットン、毛糸、パイル地）、和紙、皮、人工皮革等が上記の素材として挙げられる。収納部１４を、透明なビニールや透明なアクリル樹脂板で構成することによって、収納された物を容易に判別することができる。
図１では現れていない小物入れ１の反対側の面にも、適宜、保持手段、袋部、収納部等を備え付けてもよい。
【００１９】
本発明の小物入れを取り付けられる構造物としては、ベッドの長手方向両端の枠、ベッドの側柵、冷蔵庫、金属製の壁、金属製の扉、あるいは車椅子の枠が挙げられる。本発明の小物入れの寸法は、小物入れが取り付けられる構造物に応じて適宜変更できるが、例えばベッドの長手方向両端の枠に取り付けられる場合、縦約４００ｍｍ×横約８００ｍｍの平板とすることができる。
【００２０】
図２は、本発明の小物入れが取り付けられたベッドの概略斜視図である。図２に示されているように、袋部、保持手段等が取り付けられている面をベッド内側へ向けて小物入れ１をベッドの頭側の枠１９に取り付けることで、ベッドで一日の大半を過ごす者は寝ながらにして小物入れ１の袋部６に入れられたティッシュペーパーを使うことができ、さらに使い終わったティッシュペーパーを、小物入れに保持されたビニール袋１６へ捨てることができて便利である。また、本発明の小物入れ１を、ベッドの頭側に近いベッドの側柵２０にこれと同様に取り付けても便利である。
【図面の簡単な説明】
【００２１】
【図１】本発明の小物入れを、構造物であるベッド枠に取り付けた態様を示す概略図である。
【図２】本発明の小物入れが取り付けられたベッドの概略斜視図である。
【符号の説明】
【００２２】
１    小物入れ
２    本体
３    紐（固定手段）
４    洗濯バサミ（保持手段）
５    紐
６    袋部
７    開口部
８    蓋体
９    雄型面ファスナーテープ
１０    雌型面ファスナーテープ
１１    ベッド枠（構造物）
１２    中空部
１３    棒状部材
１４    収納部
１５    ファスナー
１６    ビニール袋
１７    箱型ティッシュペーパー
１８    ベッド
１９    ベッドの頭側の枠
２０    ベッドの側柵
【図１】
2005329021.tif 000003
【図２】
2005329021.tif 000004